(57)【要約】通信端末は、管理対象の蓄電池と通信を行い、前記蓄電池の使用に関する蓄電池情報を取得する第１通信部と、前記第１通信部において前記蓄電池情報が取得される毎に、取得された前記蓄電池情報を記憶する記憶部と、前記蓄電池を管理する管理サーバと通信を行い、前記管理サーバからの前記蓄電池情報の提供要求を受け付けた場合にのみ、前記記憶部に記憶されている蓄電池情報の内、当該提供要求に応じた蓄電池情報を前記管理サーバに提供する第２通信部とを備える。
2015115070.tif 000002
【特許請求の範囲】
【請求項１】
管理対象の蓄電池と通信を行い、前記蓄電池の使用に関する蓄電池情報を取得する第１通信部と、
前記第１通信部において前記蓄電池情報が取得される毎に、取得された前記蓄電池情報を記憶する記憶部と、
前記蓄電池を管理する管理サーバと通信を行い、前記管理サーバからの前記蓄電池情報の提供要求を受け付けた場合にのみ、前記記憶部に記憶されている蓄電池情報の内、当該提供要求に応じた蓄電池情報を前記管理サーバに提供する第２通信部とを備える、
通信端末。
【請求項２】
前記第２通信部は、更に、
前記蓄電池情報が取得された日時情報を前記管理サーバに提供する、
請求項１記載の通信端末。
【請求項３】
前記第２通信部は、更に、
前記管理サーバからの前記蓄電池情報の更新要求を受け付け、
前記通信端末は、更に、
前記第２通信部において、前記管理サーバからの前記蓄電池情報の更新要求が受け付けられた場合に、通信端末ユーザに対して前記蓄電池情報の更新を促す画面表示を行う表示部を備える、
請求項２記載の通信端末。
【請求項４】
更に、
前記記憶部に記憶されている前記蓄電池情報が所定の期間より長く更新されていない場合に、通信端末ユーザに対して前記蓄電池情報の更新を促す画面表示を行う表示部を備える、
請求項１又は請求項２記載の通信端末。
【請求項５】
通信端末において行われる蓄電池管理方法であって、
管理対象の蓄電池と通信を行い、前記蓄電池の使用に関する蓄電池情報を取得し、
前記蓄電池情報が取得される毎に、取得された前記蓄電池情報を記憶し、
前記蓄電池を管理する管理サーバと通信を行い、前記管理サーバからの前記蓄電池情報の提供要求を受け付けた場合にのみ、記憶している蓄電池情報の内、当該提供要求に応じた蓄電池情報を前記管理サーバに提供する、
蓄電池管理方法。
【請求項６】
管理対象の蓄電池及び管理サーバと通信を行う通信端末において行われる蓄電池管理プログラムであって、
前記通信端末に、
前記蓄電池の使用に関する蓄電池情報を取得し、
前記蓄電池情報が取得される毎に、取得された前記蓄電池情報を記憶し、
前記管理サーバからの前記蓄電池情報の提供要求を受け付けた場合にのみ、記憶している蓄電池情報の内、当該提供要求に応じた蓄電池情報を前記管理サーバに提供する、
ことを実行させる蓄電池管理プログラム。
【請求項７】
通信端末と管理サーバとを含む蓄電池管理システムによって、蓄電池の使用に関する蓄電池情報を管理する蓄電池管理方法であって、
前記通信端末は、
管理対象の蓄電池と通信を行い、前記蓄電池情報を取得し、
前記取得する毎に前記蓄電池情報を記憶し、
前記管理サーバは、
前記蓄電池情報に関する問い合わせを受け付け、前記通信端末に当該問い合わせに応じた蓄電池情報の提供を要求し、
前記通信端末は、
前記管理サーバからの前記蓄電池情報の提供要求を受けた場合にのみ、記憶している前記蓄電池情報の内、当該提供要求に応じた蓄電池情報を前記管理サーバに提供する、
蓄電池管理方法。
【請求項８】
前記通信端末は、更に、
前記蓄電池情報が取得された日時情報を前記管理サーバに提供し、
前記管理サーバは、
前記通信端末から提供された前記日時情報を記憶し、
前記記憶した日時情報に基づいて、前記通信端末へ前記蓄電池情報の更新を要求し、
前記通信端末は、
前記管理サーバから前記蓄電池情報の更新要求があった場合に、通信端末ユーザに対して前記蓄電池情報の更新を促す画面表示を行う、
請求項７記載の蓄電池管理方法。
【請求項９】
前記管理サーバは、
前記問い合わせ元ユーザに応じて、当該問い合わせに応じた蓄電池情報の提供を行うか否かを決定し、
当該問い合わせに応じた蓄電池情報の提供を行うと決定した場合に、前記通信端末に当該問い合わせに応じた蓄電池情報の提供を要求する、
請求項７又は請求項８記載の蓄電池管理方法。
【発明の詳細な説明】
【技術分野】
【０００１】
本開示は、蓄電池を管理する技術に関する。
【背景技術】
【０００２】
近年、様々な分野で蓄電池が利用されるようになってきている。蓄電池の普及に伴い、蓄電池の使用に関する情報を把握してユーザへサービスを提供するニーズが高まっている。【０００３】
例えば、特許文献１には、車両に搭載された蓄電池の充電状態を示す情報を、予め規定されたタイミングで管理サーバにアップロードする技術が開示されている。
【先行技術文献】
【特許文献】
【０００４】
【特許文献１】特開２０１２−１４７５８０号公報
【発明の概要】
【発明が解決しようとする課題】
【０００５】
しかしながら、特許文献１の技術では、管理する蓄電池が多いほど管理サーバに集約される情報量は増大し、管理サーバが記憶しておくデータ量または、管理サーバにおける通信負荷が増大してしまう。【０００６】
上記事情を鑑み、限定的ではない例示的なある実施形態は、管理サーバの負担を軽減する通信端末を提供する。【０００７】
開示された実施形態の付加的な有益性及び優位性は、明細書及び図面から明らかである。上記有益性及び／または優位性は、それぞれ、種々の実施形態と、明細書及び図面に開示された特徴とによって与えられる。そして、１つ以上の上記有益性及び／または優位性を得るのに、上記種々の実施形態と、明細書及び図面に開示された特徴の全てを必要としない。
【課題を解決するための手段】
【０００８】
本開示に係る通信端末は、管理対象の蓄電池と通信を行い、前記蓄電池の使用に関する蓄電池情報を取得する第１通信部と、前記第１通信部において前記蓄電池情報が取得される毎に、取得された前記蓄電池情報を記憶する記憶部と、前記蓄電池を管理する管理サーバと通信を行い、前記管理サーバからの前記蓄電池情報の提供要求を受け付けた場合にのみ、前記記憶部に記憶されている蓄電池情報の内、当該提供要求に応じた蓄電池情報を前記管理サーバに提供する第２通信部とを備える。
【発明の効果】
【０００９】
上記通信端末は、蓄電池から蓄電池情報を取得する毎に、取得した蓄電池情報を記憶する。そして、管理サーバから蓄電池情報の提供要求があった場合にのみ、提供要求に応じた蓄電池情報を管理サーバへ提供する。そのため、管理サーバは蓄電池情報を常時記憶せずとも、所望する蓄電池情報がある場合には、携帯端末から所望する蓄電池情報を取得することが可能となり、管理サーバにおける通信端末間の通信負荷を低減させることが可能となる。
【図面の簡単な説明】
【００１０】
【図１】蓄電池管理システム１の概略図である。
【図２】携帯端末１０、蓄電池ユニット２０、及び管理サーバ３０の構成を示すブロック図である。
【図３】携帯端末１０の蓄電池管理データベース１２に記憶される情報の一例である。
【図４】管理サーバのサーバデータベース３１に記憶される情報の一例である。
【図５】蓄電池管理システム１全体の蓄電池情報取得に関する動作を示すシーケンス図である。
【図６】携帯端末１０及び管理サーバ３０における、蓄電池情報の更新状態の管理に関する動作を示すシーケンス図である。
【図７】携帯端末１０の表示部１４による画面表示の一例である。
【図８】携帯端末１０及び管理サーバ３０における、蓄電池情報の問い合わせに関する動作を示すシーケンス図である。
【図９】（ａ）及び（ｂ）問い合わせの認証条件の一例である。
【図１０】（ａ）変形例（その１）における蓄電池情報の内容に応じた問い合わせを説明する図、（ｂ）（ａ）と対応する問い合わせの認証条件の一例である。
【図１１】変形例（その２）における、携帯端末１０及び管理サーバ３０の蓄電池情報の問い合わせに関する動作を示すシーケンス図である。
【発明を実施するための形態】
【００１１】
≪実施の形態≫
以下、本開示の実施の形態の一態様について、図面を参照しつつ説明する。
【００１２】
本実施の形態に係る携帯端末は、蓄電池ユニットと通信を行い、蓄電池ユニットが保持する蓄電池の使用に関する情報（以下、蓄電池情報と言う。）を取得し記憶する。そして、管理サーバと通信を行い、管理サーバに蓄電池情報を取得した日時情報をアップロードする。管理サーバは、その日時情報を管理し、携帯端末において蓄電池情報が長期間更新されていない場合には、蓄電池情報を更新するよう携帯端末に要求する。
【００１３】
また、本実施の形態に係る携帯端末は、管理サーバから蓄電池情報が要求された場合に、要求された情報を管理サーバに提供する。これにより、管理サーバが蓄電池情報を保持せずとも、必要なタイミングで携帯端末から蓄電池情報を取得することが可能となる。
【００１４】
＜１．構成＞
図１は、本実施の形態に係る携帯端末を含む蓄電池管理システム１の概略を示す図である。
【００１５】
図１に示される蓄電池管理システム１において、本実施の形態に係る携帯端末１０−１、１０−２は夫々、接続ケーブル４０−１、４０−２を介して管理対象である蓄電池ユニット２０−１、２０−２ａ、２０−２ｂと通信を行い、蓄電池ユニット２０−１、２０−２ａ、２０−２ｂが保持する蓄電池情報を取得し記憶する。また、携帯端末１０−１、１０−２は夫々、公衆回線網５０を介して管理サーバ３０と通信を行い、管理サーバ３０と連携して対応する蓄電池ユニットの蓄電池情報を管理する。このように本実施の形態に係る携帯端末は、一以上の蓄電池ユニットの蓄電池情報を管理する。
【００１６】
管理サーバ３０は、蓄電池情報に関する問い合わせを通信端末６０から受け付け、問い合わせに応じた蓄電池情報を、その情報を保持する携帯端末から取得し、通信端末６０に提供する。
【００１７】
図２は、携帯端末１０、蓄電池ユニット２０、及び管理サーバ３０の構成を示すブロック図である。図２において、携帯端末１０は、図１に示す携帯端末１０−１、１０−２に対応し、蓄電池ユニット２０は、図１に示す蓄電池ユニット２０−１、２０−２ａ、２０−２ｂに対応し、接続ケーブル４０は、図１に示す接続ケーブル４０−１、４０−２に対応する。
【００１８】
＜１−１．蓄電池ユニット２０の構成＞
蓄電池ユニット２０は、蓄電池２１と、制御部２２と、通信部２３とを備える。
【００１９】
制御部２２は、蓄電池２１の充放電を制御するとともに、蓄電池情報を保持する機能を有する。蓄電池情報は、例えば、蓄電池２１の充電時間、充電回数、放電時間、または放電回数といった充放電の履歴情報もしくは、放電対象の負荷の情報等である。
【００２０】
通信部２３は、後述する携帯端末１０の蓄電池ユニット間通信部１１と接続ケーブル４０を介して通信を行い、制御部２２において保持される蓄電池情報を携帯端末１０に提供する機能を備える。
【００２１】
＜１−２．携帯端末１０の構成＞
携帯端末１０は、蓄電池ユニット間通信部１１と、蓄電池管理データベース１２と、ネットワーク通信部１３と、表示部１４とを備える。
【００２２】
蓄電池ユニット間通信部１１は、接続ケーブル４０を介して蓄電池ユニット２０の通信部２３と通信を行う機能を有する。そして、通信部２３から蓄電池情報の提供を受け、その蓄電池情報を蓄電池管理データベース１２に出力する機能を備える。蓄電池ユニット間通信部１１は、本開示の第１通信部に相当する。
【００２３】
蓄電池管理データベース１２は、蓄電池ユニット間通信部１１から出力された蓄電池情報を記憶するとともに、蓄電池情報を記憶した日時（蓄電池情報の更新日時）を示す更新日時情報を記憶する機能を有する。
【００２４】
なお、携帯端末１０は、蓄電池ユニット間通信部１１において取得した蓄電池情報をそのまま蓄電池管理データベース１２に記憶してもよいし、例えばアプリケーションなどによって、取得した蓄電池情報を、予測寿命、累積充電時間、累積充電時間等に加工して蓄電池管理データベース１２に記憶してもよい。
【００２５】
図３は、蓄電池管理データベース１２に記憶される情報の一例である。図３に示される蓄電池管理データベース１２には、蓄電池情報の更新日時毎に蓄電池情報として、蓄電池が充電された日時情報（「充電日時」）と、蓄電池容量に対する充電量の割合（「充電量」）と、蓄電池が放電された日時情報（「放電日時」）と、蓄電池容量に対する放電量の割合（「放電量」）とが記憶されている。また、図３では、予測寿命のステータス情報が記憶されており、予測寿命のステータスを模式的に「○」と表している。蓄電池の予測寿命は、例えば、充放電の履歴情報に基づいて推定することができる。
【００２６】
図２に戻って説明を続ける。
【００２７】
ネットワーク通信部１３は、公衆回線網５０を介して管理サーバ３０の通信部３３と通信を行う機能を有する。そして、蓄電池管理データベース１２に蓄電池情報が更新される毎に、更新日時情報とその蓄電池のＩＤ情報とを管理サーバ３０に提供する機能を有する。また、ネットワーク通信部１３は、管理サーバ３０へ蓄電池情報を提供したり、管理サーバ３０からの指示を表示部１４へ出力するといった機能を有する。詳細については下記＜２．動作＞において説明する。ネットワーク通信部１３は、本開示の第２通信部に相当する。
【００２８】
表示部１４は、ネットワーク通信部１３から出力された管理サーバ３０からの指示を受け付け、携帯端末１０に設けられているディスプレイ（不図示）に対して、蓄電池情報の更新を促す画面表示を行う機能を有する。
【００２９】
＜１−３．管理サーバ３０の構成＞
管理サーバ３０は、サーバデータベース３１と、管理部３２と、通信部３３とを備える。
【００３０】
サーバデータベース３１は、通信部３３を介して携帯端末１０から提供された、蓄電池情報の更新日時情報を蓄電池のＩＤ情報と対応させて記憶する機能を有する。
【００３１】
図４は、サーバデータベース３１に記憶される情報の一例である。図４に示されるサーバデータベース３１には、管理サーバ３０と接続される携帯端末のＩＤ情報（「携帯端末ＩＤ」）と、各携帯端末と対応する蓄電池のＩＤ情報（「蓄電池ＩＤ」）とが対応付けられて記憶されており、各携帯端末において蓄電池情報が取得された直近の日時を示す情報（「最新更新日時」）が記憶されている。
【００３２】
図２に戻って説明を続ける。
【００３３】
通信部３３は、公衆回線網５０を介して、携帯端末１０のネットワーク通信部１３と通信を行うとともに、蓄電池情報の提供を求める問い合わせ者の通信端末６０と通信を行う機能を有する。詳細については下記＜２．動作＞において説明する。
【００３４】
管理部３２は、サーバデータベースを監視して、携帯端末１０における蓄電池情報の更新状態を管理するとともに、蓄電池情報に関する問い合わせの認証を行う機能を有する。詳細については下記＜２．動作＞において説明する。
【００３５】
＜２．動作＞
図５は、蓄電池管理システム１全体の蓄電池情報取得に関する動作を示すシーケンス図である。
【００３６】
携帯端末１０と蓄電池ユニット２０とが接続ケーブル４０で接続されると（ステップＳ１０１：ＹＥＳ）、蓄電池ユニット２０の通信部２３は、制御部２２が保持する蓄電池情報を、携帯端末１０の蓄電池ユニット間通信部１１へ提供する（ステップＳ１０２）。携帯端末１０の蓄電池ユニット間通信部１１は、提供された蓄電池情報を蓄電池管理データベース１２に出力する。蓄電池管理データベース１２は出力された蓄電池情報と、その蓄電池情報の更新日時情報とを記憶する（ステップＳ１０３）。蓄電池管理データベース１２において蓄電池情報が更新されると、ネットワーク通信部１３はその更新日時情報とその蓄電池のＩＤ情報とを管理サーバ３０に提供する（ステップＳ１０４）。管理サーバ３０の通信部３３は、これら情報の提供を受け付け、その情報をサーバデータベース３１に出力する。サーバデータベース３１は、通信部３３から出力された更新日時情報を、蓄電池ＩＤ及び携帯端末ＩＤと対応付けて記憶する（ステップＳ１０５）。
【００３７】
このように、蓄電池情報の更新が行われる毎に、携帯端末１０がその更新日時情報とその蓄電池のＩＤ情報とを管理サーバ３０に提供することで、管理サーバ３０は携帯端末１０における蓄電池情報の更新状態を管理することができる。
【００３８】
図６は、携帯端末１０及び管理サーバ３０における、蓄電池情報の更新状態の管理に関する動作を示すシーケンス図である。
【００３９】
管理サーバ３０の管理部３２は、サーバデータベース３１を参照し、管理対象である蓄電池（携帯端末）それぞれについて、蓄電池情報が更新されていない期間が第１所定期間より長いか否かを定期的に監視する（ステップＳ２０１）。第１所定期間より長くない場合は（ステップＳ２０１：ＮＯ）、ステップＳ２０１の処理が繰り返し行われる。
【００４０】
一方、蓄電池情報が更新されていない期間が第１所定期間より長く（ステップＳ２０１：ＹＥＳ）、且つ第２所定期間より長くはない場合（ステップＳ２０２：ＮＯ）は、管理部３２は通信部３３に対して、蓄電池情報の更新を要求する指示を、その蓄電池と対応する携帯端末１０に通知するよう指示する。そして、通信部３３は、蓄電池情報の更新を要求する指示と、更新を要求する蓄電池のＩＤ情報とを携帯端末１０に通知する（ステップＳ２０３）。携帯端末１０のネットワーク通信部１３は、管理サーバ３０の通信部３３からの通知を受け付け、表示部１４に対して、蓄電池情報の更新を促す画面表示を行わせる（ステップＳ２０４）。この画面表示により、携帯端末１０と蓄電池ユニット２０とが接続ケーブル４０で接続されると（図５：ステップＳ１０１：ＹＥＳ）、携帯端末１０、蓄電池ユニット２０、及び管理サーバ３０は図５で説明した蓄電池情報取得に関する動作を行う。
【００４１】
図７は、表示部１４による、蓄電池情報の更新を促す画面表示の一例である。長期間蓄電池情報が更新されないと、管理サーバ３０による蓄電池の管理に支障が生じる。管理サーバ３０は、携帯端末１０のディスプレイに蓄電池情報の更新を促す画面表示を行わせることで、長期間蓄電池情報が更新されないことを防ぐことが可能となる。
【００４２】
図６に戻って説明を続ける。
【００４３】
また、管理サーバ３０の管理部３２は、蓄電池情報が更新されていない期間が第１所定期間より長く（ステップＳ２０１：ＹＥＳ）、且つ第２所定期間より長い場合は（ステップＳ２０２：ＹＥＳ）、携帯端末１０において長期間蓄電池情報の更新がなされていない旨を蓄電池管理システム１の提供者に報知する（ステップＳ２０５）。この報知により、蓄電池管理システム１の提供者は長期間蓄電池情報の更新されてないことに対する対応をとることが可能となる。
【００４４】
図８は、携帯端末１０及び管理サーバ３０における、蓄電池情報の問い合わせに関する動作を示すシーケンス図である。
【００４５】
例えば、蓄電池情報の問い合わせを行うユーザ（以下、問い合わせユーザと言う。）は、問い合わせユーザ識別ＩＤ情報と、問い合わせ先蓄電池ＩＤ情報とを通信端末６０から管理サーバに通知する。
【００４６】
管理サーバ３０の通信部３３は、通信端末６０から、問い合わせユーザ識別ＩＤ情報と、問い合わせ先蓄電池ＩＤ情報とが通知されると、その通知された情報を管理部３２に出力する（ステップＳ３０１：ＹＥＳ）。管理部３２は、通信部３３から出力された問い合わせユーザ識別ＩＤ情報と、問い合わせ先蓄電池ＩＤ情報と、予め定められた問い合わせ認証条件とに基づいて、問い合わせを認めるか否かの認証を行う（ステップＳ３０２）。そして、問い合わせを認めない場合は（ステップＳ３０２：ＮＯ）、問い合わせユーザの通信端末６０に対して、問い合わせを認めない旨を通知する（ステップＳ３０３）。
【００４７】
一方、問い合わせを認める場合は（ステップＳ３０２：ＹＥＳ）、通信部３３に対して、蓄電池情報の提供を要求する指示を、問い合わせ先蓄電池と対応する携帯端末１０に通知するよう指示する。そして、通信部３３は、蓄電池情報の提供を要求する指示と、問い合わせ先蓄電池のＩＤ情報とを携帯端末１０に通知する（ステップＳ３０４）。携帯端末１０のネットワーク通信部１３は、管理サーバ３０の通信部からの通知を受け付け、蓄電池管理データベース１２に記憶されている蓄電池情報を管理サーバ３０に提供する（ステップＳ３０５）。管理サーバ３０の通信部３３は、携帯端末１０から蓄電池情報の提供を受けると、提供された蓄電池情報を問い合わせユーザの通信端末６０に提供する（ステップＳ３０６）。
【００４８】
ここで、管理部３２における問い合わせ認証方法について説明する。
【００４９】
図９（ａ）及び（ｂ）は、問い合わせの認証条件の一例を示す図である。図９（ａ）に示すように、例えば、蓄電池を蓄電池カテゴリに分類し、図９（ｂ）に示すように、問い合わせユーザカテゴリ毎に、問い合わせが認められる蓄電池（蓄電池カテゴリ）を設定する。そして、管理部３２に、このような認証条件を予め記憶させておき、通信部から出力された、問い合わせユーザ識別ＩＤ情報及び問い合わせ先蓄電池ＩＤ情報が認証条件を満たす場合には、その問い合わせを認め、認証条件を満たさない場合には問い合わせを認めないとしてもよい。
【００５０】
なお、蓄電池カテゴリは、問い合わせユーザのニーズに応じて設定すればよく、例えば、蓄電池の容量、種類、使用される負荷等で分類することが考えられる。
【００５１】
このように、管理サーバ３０が、蓄電池情報問い合わせの認証を行うことで、蓄電池情報に対するアクセスを制限することが可能となる。また、管理サーバ３０は、図６で説明したように、携帯端末１０において長期間蓄電池情報が更新されないことがないように管理している。そのため、管理サーバ３０に対して蓄電池情報の問い合わせがあった場合に、管理サーバ３０は、即座に携帯端末１０から最新の蓄電池情報を取得し、問い合わせ者に提供することが可能となる。
【００５２】
本実施の形態に係る携帯端末１０は、蓄電池情報の取得及び保持を行い、蓄電池情報を更新する度に、その更新日時情報を管理サーバに提供する。これにより、管理サーバ３０は、携帯端末１０における蓄電池情報の更新状態を管理し、必要なタイミングで携帯端末１０から蓄電池情報を取得することが可能となる。本実施の形態に係る携帯端末１０によれば、管理サーバ３０と連携して蓄電池情報を管理することが可能となり、管理サーバ３０が記憶しておくデータ量または、管理サーバにおける通信負荷を軽減することが可能となる。
【００５３】
＜３．変形例（その１）＞
上記実施の形態の蓄電池管理システム１において、管理サーバ３０が蓄電池情報の種類に応じた問い合わせを受け付けるようにしてもよい。更に、管理サーバ３０が、蓄電池情報の種類に応じて問い合わせの認証を行うとしてもよい。
【００５４】
以下、図１０（ａ）及び（ｂ）を用いて具体的に説明する。
【００５５】
例えば、問い合わせ者は図１０（ａ）に示すように、問い合わせユーザ識別ＩＤ情報（「１００ｐ」）及び問い合わせ先蓄電池ＩＤ情報（「ｙ００２」）に加えて更に、問い合わせる蓄電池情報の種類（「寿命」）を通信端末６０に入力する。通信端末６０は、これら入力された情報を管理サーバ３０に通知する（図８：ステップＳ３０１）。
【００５６】
管理サーバ３０は、入力された情報と、例えば図１０（ｂ）に示すような認証条件とに基づいて、問い合わせユーザによる問い合わせの認証を行う（ステップＳ３０２）。図１０（ｂ）において、問い合わせユーザ（ユーザＩＤ：「００１ｐ」）による、蓄電池（蓄電池ＩＤ：「ｙ００２」）の蓄電池情報（種類：「寿命」）の問い合わせは認められるため（ステップＳ３０２：ＹＥＳ）、管理サーバ３０は、問い合わせ先蓄電池と対応する携帯端末１０に対して、問い合わせ先蓄電池の寿命に関する蓄電池情報を要求する（ステップＳ３０４）。そして、携帯端末１０は、要求された情報を管理サーバ３０に提供し（ステップＳ３０５）、管理サーバ３０は、携帯端末１０から提供された情報を通信端末６０に提供する（ステップＳ３０６）。
【００５７】
この変形例によれば、問い合わせユーザは所望する蓄電池情報を選択して問い合わせを行うことができる。また、管理サーバ３０は、問い合わせを認めるか否かを、蓄電池情報の種類に応じて細かく設定し管理することができる。
【００５８】
なお、上記実施の形態及び本変形例では、問い合わせ先蓄電池毎に蓄電池情報を取得する例を説明したが、問い合わせユーザが蓄電池カテゴリの蓄電池の蓄電池情報を一括して取得できるようにしてもよい。その場合、認証条件として例えば、問い合わせユーザに応じて問い合わせを認める蓄電池カテゴリを管理サーバ３０に設定しておけばよい。
【００５９】
＜４．変形例（その２）＞
上記実施の形態において、図８で説明した携帯端末１０及び管理サーバ３０における、蓄電池情報の問い合わせに関する動作を、図１１に示すように変形してもよい。
【００６０】
図１１では、図８で説明した各処理に加え、携帯端末１０によるステップＳ４０１〜Ｓ４０３の処理が追加されている。
【００６１】
具体的には、携帯端末１０のネットワーク通信部１３は、管理サーバ３０からの蓄電池情報の提供の要求指示を受けると、蓄電池管理データベース１２を参照し、要求指示された蓄電池情報が、蓄電池管理データベース１２の参照時を基準として所定の期間以内に更新されているか否かを確認する（Ｓ４０１）。所定の期間以内に更新されている場合（Ｓ４０１：ＹＥＳ）、上記実施の形態と同様に、蓄電池管理データベース１２に記憶されている蓄電池情報を管理サーバ３０に提供する（ステップＳ３０５）。
【００６２】
一方、所定の期間以内に更新されていない場合（Ｓ４０１：ＮＯ）、ネットワーク通信部１３は、表示部１４に対して、蓄電池情報の更新を促す画面表示を行わせる（ステップＳ４０２）。そして、蓄電池情報の更新が行われると（ステップＳ４０３：ＹＥＳ）、ネットワーク通信部１３は、蓄電池管理データベース１２に記憶されている蓄電池情報を管理サーバ３０に提供する（ステップＳ３０５）。蓄電池情報が更新されるまで、ステップＳ４０２の処理は繰り返し行われる（ステップＳ４０２：ＮＯ）。
【００６３】
この変形例によれば、携帯端末１０及び管理サーバ３０は、より最新の蓄電池情報を問い合わせユーザに提供することが可能となる。
【００６４】
＜５．変形例（その３）＞
上記実施の形態の蓄電池管理システム１において、管理サーバ３０は、携帯端末１０に記憶されている蓄電池情報が長期間更新されていない場合はその旨を蓄電池管理システム１の提供者に報知すると説明した（図５：ステップＳ２０５）。蓄電池が長期間更新されていない場合、管理サーバ３０はその期間の蓄電池情報を取得することができず、蓄電池の使用に問題をきたす何らかの異常があったとしてもそれを把握することができない。そこで、管理サーバ３０は、蓄電池が長期間更新されていない場合、その蓄電池を異常状態であると判断し、その蓄電池に対して例えば、使用停止とする、二次利用に制限をかけるなどの措置を行うとしてもよい。
【００６５】
また、上記実施の形態の蓄電池管理システム１においては、携帯端末１０は、蓄電池情報が更新されると、その更新日時情報を管理サーバ３０に提供すると説明した（図５：ステップＳ１０４）。これにより、管理サーバ３０は、蓄電池情報の更新を管理することができるが、更に蓄電池の使用に異常がないか否かを管理できるようにしてもよい。そのために、例えば、携帯端末１０は、蓄電池ユニット２０から蓄電池情報として、蓄電池の使用に関して何らかの異常があった場合はその内容を取得し、蓄電池情報の更新日時情報と伴に管理サーバ３０に提供するようにしてもよい。蓄電池の使用に関する異常としては、大電圧での充電または、望ましくない負荷への放電などが挙げられる。また、例えばアプリケーションなどによって、蓄電池情報から蓄電池の状態が異常状態であるか否かを推定し、その情報を蓄電池情報の更新日時情報と伴に管理サーバ３０に提供するようにしてもよい。
【００６６】
＜６．補足（その１）＞
本開示は上記の実施の形態及び各変形例で説明した内容に限定されず、本開示の目的とそれに関連又は付随する目的を達成するためのいかなる形態においても実施可能であり、例えば、以下であってもよい。
【００６７】
（１）上記実施の形態の携帯端末１０が複数の蓄電池ユニットの蓄電池情報を取得及び保持するようにしてもよい。
【００６８】
（２）上記実施の形態の蓄電池ユニット２０に、更に蓄電池の寿命を推定する機能を設け、蓄電池ユニット２０が推定した蓄電池の寿命に関する情報を携帯端末１０に提供するようにしてもよい。
【００６９】
（３）上記実施の形態の管理サーバ３０が、携帯端末から取得した蓄電池情報を加工して、問い合わせユーザが所望する情報を提供してもよい。
【００７０】
（４）上記実施の形態の蓄電池管理システム１において、携帯端末１０と蓄電池ユニット２０とは接続ケーブルを介して通信を行うとしたが、無線により通信を行うとしてもよい。
【００７１】
具体的には、例えば、予め携帯端末１０と蓄電池ユニット２０との間でペアリングの設定を行い、携帯端末１０と蓄電池ユニット２０とが互いに近づくと無線接続が自動的になされ、互いに離れると無線接続が自動的に切断されるようにしてもよい。無線通信の手段として例えば、Bluetooth（登録商標）等の短距離無線通信または、ＮＦＣ（Near field communication）などを用いてもよい。
【００７２】
また、無線ネットワークを用いて、蓄電池ユニット２０は携帯端末１０に定期又は不定期に蓄電池情報をアップロードするようにしてもよい。
【００７３】
（５）上記実施の形態の蓄電池管理システム１において、１つの蓄電池ユニット２０の蓄電池情報を複数の携帯端末１０が取得して保持することで管理してもよい。そして、管理サーバ３０は、その１つの蓄電池ユニット２０の蓄電池情報について問い合わせがあった場合に、複数の携帯端末１０の内、最新の蓄電池情報を保持している携帯端末１０から問い合わせられた情報を取得してもよい。また、ある携帯端末１０の電源がオフ状態となっているなどして、ある携帯端末１０から問い合わせられた蓄電池情報が取得できない場合に、管理サーバ３０は別の携帯端末１０からその蓄電池情報を取得するようにしてもよい。この手段は１つの蓄電池ユニット２０を複数のユーザで管理する場合に有用である。
【００７４】
（６）上記実施の形態の蓄電池管理システム１において、管理サーバ３０が携帯端末１０における蓄電池情報の更新状態を管理すると説明した（図６）。上記実施の形態はこれに限定されず、管理サーバ３０に代わって携帯端末１０が蓄電池情報の更新を管理してもよい。
【００７５】
具体的には、携帯端末１０が蓄電池管理データベース１２に記憶されている、蓄電池情報の更新日時情報に基づいて、管理サーバ３０の管理部３２と同様に、蓄電池情報が更新されていない期間が所定期間より長いか否か監視する。そして、所定の期間より長い場合は、蓄電池情報の更新を促す画面表示または、長期間蓄電池情報が更新されていない旨の報知を行うようにしてもよい。
【００７６】
なお、携帯端末１０は蓄電池ユニット２０との通信を無線により行うようにし、蓄電池情報が更新されていない期間が所定期間より長い場合は、自動的に蓄電池情報を更新するようにしてもよい。
【００７７】
このように、管理サーバ３０に代わって携帯端末１０が蓄電池情報の更新を管理する場合は、携帯端末１０は蓄電池ユニットから蓄電池情報を取得する毎に、管理サーバ３０に日時情報を提供しなくてもよい。但しその場合、管理サーバ３０上で、携帯端末１０における蓄電池情報の更新状態を把握できるように、携帯端末１０は、蓄電池情報が正常に更新されているか否かを示す通知を定期的に管理サーバ３０に行うことが望ましい。
【００７８】
（７）上記実施の形態の携帯端末１０は、蓄電池ユニット２０及び管理サーバ３０と通信を行う通信機能を有するものであればよく、固定の通信端末であってもよい。
【００７９】
（８）上記実施の形態及び各変形例などで説明した、携帯端末１０、蓄電池ユニット２０、及び管理サーバ３０の各構成要素は、集積回路であるＬＳＩ（Ｌａｒｇｅ  Ｓｃａｌｅ  Ｉｎｔｅｇｒａｔｉｏｎ）で実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）または、ＬＳＩ内部の回路セルの接続及び設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。
【００８０】
（９）上記実施の形態及び各変形例などで説明した、携帯端末１０、蓄電池ユニット２０、及び管理サーバ３０の動作の手順の少なくとも一部をプログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよいし、上記プログラムを記録媒体に保存して頒布等するようにしてもよい。
【００８１】
（１０）実施の形態及び変形例などにおいて説明した内容を適宜組み合わせるようにしてもよい。
【００８２】
＜７．補足（その２）＞
上記実施の形態、各変形例及び補足（その１）に係る通信端末、蓄電池管理方法、蓄電池管理システムについてまとめる。
【００８３】
（１）本開示の第１形態は、管理対象の蓄電池と通信を行い、前記蓄電池の使用に関する蓄電池情報を取得する第１通信部と、前記第１通信部において前記蓄電池情報が取得される毎に、取得された前記蓄電池情報を記憶する記憶部と、前記蓄電池を管理する管理サーバと通信を行い、前記管理サーバからの前記蓄電池情報の提供要求を受け付けた場合にのみ、前記記憶部に記憶されている蓄電池情報の内、当該提供要求に応じた蓄電池情報を前記管理サーバに提供する第２通信部とを備える、通信端末を提供する。
【００８４】
第１形態によれば、管理サーバは蓄電池情報を常時記憶せずとも、所望する蓄電池情報がある場合には、携帯端末から所望する蓄電池情報を取得することが可能となり、管理サーバにおける通信端末間の通信負荷を低減させることが可能となる。
【００８５】
（２）本開示の第２形態は、上記第１形態において、前記第２通信部は、更に、前記蓄電池情報が取得された日時情報を前記管理サーバに提供する、としてもよい通信端末を提供する。
【００８６】
上記第２形態によれば、管理サーバが通信端末における蓄電池情報の更新状態を管理することができる。
【００８７】
（３）本開示の第３形態は、上記第２形態において、前記第２通信部は、更に、前記管理サーバからの前記蓄電池情報の更新要求を受け付け、前記通信端末は、更に、前記第２通信部において、前記管理サーバからの前記蓄電池情報の更新要求が受け付けられた場合に、通信端末ユーザに対して前記蓄電池情報の更新を促す画面表示を行う表示部を備える、としてもよい通信端末を提供する。
【００８８】
上記第３形態によれば、管理サーバにより蓄電池情報の更新要求があった場合に、通信端末ユーザに対して、蓄電池情報を更新するよう促すことが可能となる。
【００８９】
（４）本開示の第４形態は、上記第１形態又は第２形態において、更に、前記記憶部に記憶されている前記蓄電池情報が所定の期間より長く更新されていない場合に、通信端末ユーザに対して前記蓄電池情報の更新を促す画面表示を行う表示部を備える、としてもよい通信端末を提供する。
【００９０】
上記第４形態によれば、記憶部に記憶されている蓄電池情報が長く更新されていない場合に、通信端末ユーザに対して、蓄電池情報を取得するよう促すことが可能となる。
【００９１】
（５）本開示の第５形態は、通信端末において行われる蓄電池管理方法であって、管理対象の蓄電池と通信を行い、前記蓄電池の使用に関する蓄電池情報を取得し、前記蓄電池情報が取得される毎に、取得された前記蓄電池情報を記憶し、前記蓄電池を管理する管理サーバと通信を行い、前記管理サーバからの前記蓄電池情報の提供要求を受け付けた場合にのみ、記憶している蓄電池情報の内、当該提供要求に応じた蓄電池情報を前記管理サーバに提供する、蓄電池管理方法を提供する。
【００９２】
上記第５形態によれば、管理サーバは蓄電池情報を常時記憶せずとも、所望する蓄電池情報がある場合には、携帯端末から所望する蓄電池情報を取得することが可能となり、管理サーバにおける通信端末間の通信負荷を低減させることが可能となる。
【００９３】
（６）本開示の第６形態によれば、管理対象の蓄電池及び管理サーバと通信を行う通信端末において行われる蓄電池管理プログラムであって、前記通信端末に、前記蓄電池の使用に関する蓄電池情報を取得し、前記蓄電池情報が取得される毎に、取得された前記蓄電池情報を記憶し、前記管理サーバからの前記蓄電池情報の提供要求を受け付けた場合にのみ、記憶している蓄電池情報の内、当該提供要求に応じた蓄電池情報を前記管理サーバに提供する、ことを実行させる蓄電池管理プログラムを提供する。
【００９４】
上記第６形態によれば、管理サーバは蓄電池情報を常時記憶せずとも、所望する蓄電池情報がある場合には、携帯端末から所望する蓄電池情報を取得することが可能となり、管理サーバにおける通信端末間の通信負荷を低減させることが可能となる。
【００９５】
（７）本開示の第７形態は、通信端末と管理サーバとを含む蓄電池管理システムによって、蓄電池の使用に関する蓄電池情報を管理する蓄電池管理方法であって、前記通信端末は、管理対象の蓄電池と通信を行い、前記蓄電池情報を取得し、前記取得する毎に前記蓄電池情報を記憶し、前記管理サーバは、前記蓄電池情報に関する問い合わせを受け付け、前記通信端末に当該問い合わせに応じた蓄電池情報の提供を要求し、前記通信端末は、前記管理サーバからの前記蓄電池情報の提供要求を受けた場合にのみ、記憶している前記蓄電池情報の内、当該提供要求に応じた蓄電池情報を前記管理サーバに提供する、蓄電池管理方法を提供する。
【００９６】
上記第７形態によれば、通信端末と管理サーバとが連携して蓄電池情報を管理することが可能となる。具体的には、通信端末が蓄電池情報を保持し、管理サーバは蓄電池情報を常時記憶せずとも、所望する蓄電池情報がある場合には、携帯端末から所望する蓄電池情報を取得することが可能となり、管理サーバにおける通信端末間の通信負荷を低減させることが可能となる。
【００９７】
（８）本開示の第８形態は、上記第７形態において、前記通信端末は、更に、前記蓄電池情報が取得された日時情報を前記管理サーバに提供し、前記管理サーバは、前記通信端末から提供された前記日時情報を記憶し、前記記憶した日時情報に基づいて、前記通信端末へ前記蓄電池情報の更新を要求し、前記通信端末は、前記管理サーバから前記蓄電池情報の更新要求があった場合に、通信端末ユーザに対して前記蓄電池情報の更新を促す画面表示を行う、蓄電池管理方法を提供する。
【００９８】
上記第８形態によれば、通信端末に記憶されている蓄電池情報が長く更新されていない場合に、通信端末ユーザに対して、蓄電池情報を取得するよう促すことが可能となる。
【００９９】
（９）本開示の第９形態は、上記第７形態又は第８形態において、前記管理サーバは、前記問い合わせ元ユーザに応じて、当該問い合わせに応じた蓄電池情報の提供を行うか否かを決定し、当該問い合わせに応じた蓄電池情報の提供を行うと決定した場合に、前記通信端末に当該問い合わせに応じた蓄電池情報の提供を要求する、としてもよい蓄電池管理方法を提供する。
【０１００】
上記第９形態によれば、問い合わせユーザ毎に、問い合わせられた蓄電池情報を提供するか否かを決定することが可能となる。
【産業上の利用可能性】
【０１０１】
本開示は、蓄電池の使用に関する情報を管理してユーザへサービスを提供する場合に有用である。
【符号の説明】
【０１０２】
１  蓄電池管理システム
１０  携帯端末
１１  蓄電池ユニット間通信部
１２  蓄電池管理データベース
１３  ネットワーク通信部
１４  表示部
２０  蓄電池ユニット
２１  蓄電池
２２  制御部
２３  通信部
３０  管理サーバ
３１  サーバデータベース
３２  管理部
３３  通信部
４０  接続ケーブル
５０  公衆回線網
６０  通信端末
【図１】
2015115070.tif 000003
【図２】
2015115070.tif 000004
【図３】
2015115070.tif 000005
【図４】
2015115070.tif 000006
【図５】
2015115070.tif 000007
【図６】
2015115070.tif 000008
【図７】
2015115070.tif 000009
【図８】
2015115070.tif 000010
【図９】
2015115070.tif 000011
【図１０】
2015115070.tif 000012
【図１１】
2015115070.tif 000013
【国際調査報告】
2015115070.tif 000014
2015115070.tif 000015
2015115070.tif 000016
2015115070.tif 000017